(57)【要約】【課題】前後両面に表示面を備えた液晶表示装置において、両液晶パネルで光源を共用しつつ、一方の液晶パネルの開口から入射する外部光が他方の液晶パネルの映像表示に影響することを防止する。【解決手段】液晶パネル１０ａ，１０ｂの間に配置したＵ字型陰極管１７ａ１〜１７ａ４の各脚の並び方向を液晶パネル１０ａ，１０ｂの表示面に対して略垂直とし、Ｕ字型陰極管の屈曲端と電極端を液晶パネル１０ａ，１０ｂの表示領域よりも外側に位置させ、反射板１７ｂをＵ字型放電管の各脚の間に配置して遮光し、Ｕ字型放電管の各脚から放射される光を対応する側の液晶パネルの背面にのみ反射させる。【選択図】図４
2009300582.tif 000002
【特許請求の範囲】
【請求項１】
所定の間隔を空けて背面を向かい合せ、表示面の上下左右位置を略一致させて各表示面が互いに略平行となるように配置された第１の液晶パネルと第２の液晶パネルとを備え、各液晶パネルに映像表示する液晶表示装置において、
屈曲端と電極端が前記各液晶パネルの表示領域よりも外側に位置するように前記第１と第２の液晶パネルの間に配置されたＵ字型放電管と、
少なくとも上記各液晶パネルの表示領域の間を遮る広さを有する反射板と、
を具備し、
上記Ｕ字型放電管は、各脚の並び方向が前記各液晶パネル面に対して略垂直であり、
上記反射板は、前記Ｕ字型放電管の各脚の間に配置されて上記Ｕ字型放電管の各脚の間を遮光し、上記各脚の放射する光を対応する側の液晶パネル背面に向けて反射することを特徴とする液晶表示装置。
【請求項２】
上記Ｕ字型放電管の屈曲端を支持する第１係合部と、上記Ｕ字型放電管の電極端を支持する第２係合部とが上記反射板と一体に形成され、
上記第１係合部と上記第２係合部は、上記Ｕ字型放電管の各脚の並び方向と上記液晶パネルの表示面とが略垂直になるように上記Ｕ字型放電管を支持する請求項１に記載の液晶表示装置。
【請求項３】
上下左右面を備えた矩形枠体を備え、
該矩形枠体の内部の前後方向略中央を上記反射板が仕切り、
上記矩形枠体の左右側面に上記Ｕ字型放電管の各脚を挿通する複数の孔を形成して前記第１係合部および前記第２係合部とした請求項１または請求項２に記載の液晶表示装置。
【請求項４】
上記Ｕ字型放電管は、２本の直管の各一端を電線で接続し、該電線を屈曲させて各直管を略平行にして形成される請求項１〜請求項３の何れか一項に記載の液晶表示装置。
【請求項５】
１画面分の映像信号の輝度情報を取得し、該輝度情報に基づいて上記映像信号の輝度及びコントラストを調整し、該輝度情報に基づいて上記Ｕ字型放電管の輝度を調整する輝度調整手段を更に備え、
上記第１の液晶パネルと上記第２の液晶パネルには、同一の映像が表示される請求項１〜請求項４の何れか一項に記載の液晶表示装置。
【請求項６】
上下左右面を備えた矩形枠体を備え、
該矩形枠体の内部の前後方向略中央を上記反射板が仕切り、
上記矩形枠体の左右側面に上記Ｕ字型放電管の各脚を挿通する複数の孔を形成し
１画面分の映像信号の輝度情報を取得し、該輝度情報に基づいて上記映像信号の輝度及びコントラストを調整し、該輝度情報に基づいて上記Ｕ字型放電管の輝度を調整する輝度調整手段を更に備え、
上記第１の液晶パネルと上記第２の液晶パネルには、同一の映像を表示される請求項１に記載の液晶表示装置。
【発明の詳細な説明】
【技術分野】
【０００１】
本発明は、液晶表示装置に関し、特に、背中合わせに配置された第１の液晶パネルと第２の液晶パネルとを備え、各液晶パネルに映像表示する液晶表示装置に関する。
【背景技術】
【０００２】
従来、この種の液晶表示装置として、特許文献１に開示された液晶表示装置や特許文献２に開示された（両面表示型）液晶表示装置が知られている。
特許文献１に開示された液晶表示装置においては、筺体内に第１の液晶表示パネルと第２の液晶表示パネルを背中合わせにして収納し、第１の液晶表示パネルと第２の液晶表示パネルとの間には、バックライト部を配設して共用し、表示駆動部は、第１の液晶表示パネルと第２の液晶表示パネルに対応して装置下部に階層的な構成で２つの表示駆動回路を設けてある。
特許文献２に開示された液晶表示装置においては、２枚の液晶パネルを、それぞれ両面バックライト装置の表面及び裏面に対応して配置してある。
【特許文献１】特開平６−２８９３８４号公報
【特許文献２】特開２００５−１０７０７１号公報
【発明の開示】
【発明が解決しようとする課題】
【０００３】
上述した従来の液晶表示装置は、前後両面に画面があり、周囲の広い範囲から画面を見ることができるので、店頭ディスプレイ用として用いると、売り場中央に配置しても死角が少なく、効率的な利用が可能となる。しかしながら、前述した従来の液晶表示装置においては、前後の液晶パネルでバックライトを共用している。そのため、一方の液晶パネルの開口に外部光が入射し、バックライト光と混ざり、他方の液晶パネルの表示に影響してしまうことがあった。
【０００４】
本発明は、上記課題に鑑みてなされたもので、背中合わせに配置された第１の液晶パネルと第２の液晶パネルとを備え、各液晶パネルに映像表示する液晶表示装置において、両液晶パネルで光源を共用しつつ、一方の液晶パネルの開口から入射する外部光が、他方の液晶パネルの映像表示に影響することのない液晶表示装置の提供を目的とする。
【課題を解決するための手段】
【０００５】
上記課題を解決するために、本発明の液晶表示装置では、所定の間隔を空けて背面を向かい合せ、表示面の上下左右位置を略一致させて各表示面が互いに略平行となるように配置された第１の液晶パネルと第２の液晶パネルとを備え、各液晶パネルに映像表示する液晶表示装置において、屈曲端と電極端が前記各液晶パネルの表示領域よりも外側に位置するように前記第１と第２の液晶パネルの間に配置されたＵ字型放電管と、少なくとも上記各液晶パネルの表示領域の間を遮る広さを有する反射板と、を具備し、上記Ｕ字型放電管は、各脚の並び方向が前記各液晶パネル面に対して略垂直であり、上記反射板は、前記Ｕ字型放電管の各脚の間に配置されて上記Ｕ字型放電管の各脚の間を遮光し、上記各脚の放射する光を対応する側の液晶パネル背面に向けて反射する構成としてある。
【０００６】
上記液晶パネルにおいて、映像が表示される側が表示面であり、バックライトの光が照射される側が背面である。本発明の液晶表示装置は、いわゆる直下型バックライト方式であり、液晶パネルの背面側に配置された光源の発する光を利用して映像表示を行う。上記各液晶パネルの所定の間隔としては、上記Ｕ字型放電管と上記反射板の配置するのに必要な間隔であればよい。上記Ｕ字型放電管は、放電管を略半分で屈曲させ、放電管に電源電圧を印加する電極を一方の端に揃えてＵ字型に形成した放電管である。上記Ｕ字型放電管の屈曲された部位を屈曲端、電極が揃った側を電極端とする。Ｕ字型放電管の屈曲端を境に、各電極へ伸びる各直線部分を脚とする。放電管には、熱陰極蛍光管や冷陰極蛍光管が含まれる。
【０００７】
Ｕ字型放電管の脚の間には隙間があり、この隙間に平板状の反射板を挿入して配置する。その結果上記Ｕ字型放電管の脚は上記反射板の各側に１本ずつ位置し、上記Ｕ字型放電管の脚の並び方向と、上記各液晶パネルの表示面とは、略平行になる。上記反射板は、上記Ｕ字型放電管の脚の間を斜光する遮光性と、一方の脚の放射する光を該一方の脚のある側の液晶パネルの背面に反射し、他方の脚の放射する光を該他方の脚のある側の液晶パネルの背面に反射する反射性とを有する。なお、上記反射板は、Ｕ字型放電管の放射する光のみならず、液晶パネルの液晶セルの開口から入射する外部光も、該外部光が入射した液晶パネルに向けて反射する。
【０００８】
第１の液晶パネルや第２の液晶パネルは、パネル面に垂直な方向を奥行き方向とすると、上下方向や左右方向を一致させてあり、一方のパネル面において発光を有効利用可能な位置にＵ字型放電管を配置すると、Ｕ字型放電管は他方のパネル面においても発光を有効利用可能な位置に配置される。また、上記屈曲端や上記電極端の発光量は、直線部分とは発光特性が異なるため、これら端部を上記液晶パネルの映像が表示される表示領域よりも外側に位置させ、表示に利用しないことで液晶パネルの輝度ムラを防止する。
【０００９】
本発明の選択的な一側面として、上記Ｕ字型放電管の屈曲端を支持する第１係合部と、上記Ｕ字型放電管の電極端を支持する第２係合部とが上記反射板と一体に形成され、上記第１係合部と上記第２係合部とは、上記Ｕ字型放電管の各脚の並び方向と上記液晶パネルの表示面とが略垂直になるように上記Ｕ字型放電管を支持する構成としてもよい。すなわち、上記液晶表示装置において、上記Ｕ字型放電管を所定位置に支持する構造を別途設けるのではなく、上記反射板と一体に形成された前記第１係合部と上記第２係合部とが上記Ｕ字型放電管を所定位置に支持する。該構成によれば、上記反射板と上記Ｕ字型放電管とが一体的に取り扱い可能となり、液晶表示装置の組立作業が容易になる。
【００１０】
本発明の選択的な一側面として、上下左右面を備えた矩形枠体を備え、該矩形枠体の内部の前後方向略中央を上記反射板が仕切り、上記矩形枠体の左右側面に上記Ｕ字型放電管の各脚を挿通する複数の孔を形成して前記第１係合部および前記第２係合部とした構成としてもよい。前記矩形枠体の左右側面に形成される孔は、上記第１係合部と前記第２係合部に相当する。液晶表示装置を組立てるに当り、上記Ｕ字型放電灯は、前記矩形枠体の第１係合部の外部から各電極端を孔に挿入され、そのまま各脚の間に反射板を位置させつつ電極端を第２係合部の孔から上記矩形枠体の外部に突出させる。すなわち上記Ｕ字型放電管の屈曲端と電極端とは矩形枠体の外部に位置し、液晶パネル背面に照射される光のムラを防止する。また、前記矩形枠体と前記反射板とが、各液晶パネルの表示領域を背面から囲い、上記Ｕ字型放電管の各脚から放射される光が、他方の脚の側に漏れることが無い。
【００１１】
本発明の選択的な一側面として、上記Ｕ字型放電管は、２本の直管の一端を電線で接続し、該電線を屈曲させて各直管を略平行にして形成される校正としてもよい。直管を使用するため、上記Ｕ字型放電管を安価に実現するとともに、上記Ｕ字型放電管の屈曲端がガラス管でなく電線で実現されるため、破損の畏れが無く、取り扱いが容易である。
【００１２】
本発明の選択的な一側面として、１画面分の映像信号の輝度情報を取得し、該輝度情報に基づいて上記映像信号の輝度及びコントラストを調整し、該輝度情報に基づいて上記Ｕ字型放電管の輝度を調整する輝度調整手段を更に備え、上記第１の液晶パネルと上記第２の液晶パネルには、同一の映像を表示される構成としてもよい。上記第１の液晶パネルと上記第２の液晶パネルに表示される映像が同一であれば少なくとも平均輝度は同一である。従って、上記映像信号の輝度情報に基づいて映像信号の輝度及びコントラストを調整し、該映像信号の調整に合わせて上記Ｕ字型放電管の輝度を調整可能となる。
【００１３】
なお、上記Ｕ字型放電管は、左右に長く配置するとより好ましい。その理由として、上記第１の液晶パネルと上記第２の液晶パネルとに表示される映像は左右反転するが上下は共通しており、各Ｕ字型蛍光管を左右に長く略一定の高さに配置することにより、各Ｕ字型放電管で異なる輝度を採用しても左右反転した映像に影響しなくなるからである。
【発明の効果】
【００１４】
以上説明したように本発明によれば、前後両面に表示面を備えた液晶表示装置において、両液晶パネルで光源を共用しつつ、一方の液晶パネルの開口から入射する外部光が他方の液晶パネルの映像表示に影響することを防止可能な液晶表示装置を提供可能となる。
また請求項２にかかる発明によれば、上記反射板と上記Ｕ字型放電管とが一体的に取り扱い可能となり、液晶表示装置の組立作業が容易になる。
そして請求項３にかかる発明によれば、上記反射板と上記Ｕ字型放電管とが一体的に取り扱い可能となり、液晶表示装置の組立作業が容易になり、上記Ｕ字型放電管の各脚から放射される光が、他方の脚の側に漏れることが無い。
さらに請求項４にかかる発明によれば、組立作業時や搬送時等に破損の畏れが無く、取り扱いが容易である。
また請求項５にかかる発明によれば、黒浮きを防止して高画質化し、さらに電力消費を低減可能となる。
そして請求項６にかかる発明によれば、前述した１，２，３，５，６と同様の作用効果を奏する。
【発明を実施するための最良の形態】
【００１５】
以下、下記の順序に従って本発明の実施形態を説明する。
（１）液晶表示装置の構成：
（２）バックライトの構成：
（３）Ｕ字型蛍光管の変形例：
（４）バックライトの変形例：
（５）まとめ：
【００１６】
（１）液晶表示装置の構成：
図１は本発明の一実施形態にかかる液晶表示装置１００の正面図と背面図である。同図に示すように、液晶表示装置１００は、キャビネットＣの前後両面に矩形の開口を有し、前面の開口から液晶パネル１０ａの表示面を露出し、背面の開口から液晶パネル１０ｂの表示面を露出している。キャビネットＣは、液晶パネルの表示面が略垂直に配向するようにスタンドＳで支持されている。
【００１７】
液晶パネル１０ａと液晶パネル１０ｂの表示面には各々映像が表示される。各表示面には、後述のように同一の映像を表示させると好適であるが、無論、各液晶パネルに異なる映像を表示させても構わない。各表示面に同一の映像を表示させると、液晶表示装置を視聴できる周囲角度が通常の倍になる。ゆえに、本発明の表示装置であれば、店頭で宣伝画像を表示させる際に店の中央に配置して映像表示装置一台当りの宣伝効果が高めることができる。以下の実施形態では、各液晶パネルに同一の映像を表示させる例について説明する。
【００１８】
図２は液晶表示装置１００の概略の電気的構成を示すブロック図である。同図において、液晶表示装置１００は、映像信号や音声信号が入力される入力端子１９と、入力された映像信号に各種映像処理を行う映像処理部１１と、入力された映像信号に基づいて液晶パネル駆動信号を生成する第１の駆動回路１２ａと、第１の駆動回路１２ａの出力する液晶パネル駆動信号によって各液晶セルの開口率を制御される第１の液晶パネル１０ａと、入力された映像信号に基づいて液晶パネル駆動信号を生成する第２の駆動回路１２ｂと、第２の駆動回路１２ｂの出力する液晶パネル駆動信号によって各液晶セルの開口率を制御される第２の液晶パネル１０ｂと、入力された音声信号の周波数特性や信号強度を制御する音声処理部１５と、音声信号に基づいて音声を再生するスピーカ１６と、第１の液晶パネル１０ａ及び第２の液晶パネル１０ｂの間に配置されて両液晶パネルの背面から光を照射するバックライト１７と、バックライト１７に電源電圧を供給して該バックライトを点灯させるインバータ回路１８と、各種電源電圧を生成して液晶表示装置の各部に供給する電源回路２０と、液晶表示装置を制御する制御回路１３と、を備える。なお、図２には、以下の説明に不要な構成および接続関係は省略して記載してある。
【００１９】
前記構成において、映像処理部１１は、入力端子１９から入力された映像信号に各種映像処理を施す。より具体的には、映像処理部１１は、入力された映像信号をその信号レベルに応じてデジタル化するとともに、映像信号から抽出した輝度信号と色差信号とに基づいてマトリクス変換処理を行い、映像データとしてのＲＧＢ（レッド、グリーン、ブルー）信号を生成する。そして、このＲＧＢ信号に対して第１および第２の液晶パネル１０ａ，１０ｂの画素数（横縦比、ｍ：ｎ）に合わせたスケーリング処理を行って第１および第２の液晶パネル１０ａ，１０ｂに表示する１画面分の映像データを生成し、生成された映像データを第１の駆動回路１２ａおよび第２の駆動回路１２ｂに出力する。本実施形態においては、第１の液晶パネル１０ａと第２の液晶パネル１０ｂの画素数は同一にしてある。
【００２０】
また、本実施形態においては、上記構成に加え、入力信号の１フィールド又は１フレーム等の１画面毎に、輝度の最大値、最小値、平均値等を求める輝度検知回路１４を備えていてもよい。輝度検知回路１４は、求めた輝度値を制御回路１３に出力する。これら１画面毎の輝度の最大値、最小値、平均値等が、本発明の輝度情報に相当する。
【００２１】
制御回路１３はマイコン等で構成され、輝度情報に基づいて画質制御量計算を行い、画質制御量に基づいて映像処理部において映像信号のコントラストや輝度等の制御を行う。また、制御回路１３は、輝度情報に基づいてバックライト１７の輝度制御量を求め、インバータ回路１８を解してバックライト１７の輝度を制御する。すなわち、制御回路１３は、映像信号のコントラストや輝度の制御と連動して、バックライト１７の輝度を制御し、「黒浮き」等の問題を解決して高画質を実現し、消費電力を削減する。すなわち、輝度検知回路１４の出力する輝度情報に基づいて、映像信号のコントラストや輝度等の制御やバックライト１７の輝度制御を実行する制御回路１３が、本実施形態における輝度調整手段を構成する。
【００２２】
なお、本実施形態における液晶表示装置１００は、テレビ放送信号が入力されるチューナを備えた液晶テレビジョンとして実現されたり、光ディスクやハードディスク等のディスク記録媒体から映像信号や音声信号を読取再生する読取再生部を備える構成であったり、他の公知技術と任意に組合せても構わない。
【００２３】
（２）バックライトの構成：
本発明のバックライト１７は、概略、直下型バックライトを２つ、互いに背中合わせに配置したものに相当する。しかし、ただ２つのバックライトを背中合わせに配置しただけでなく、本発明のバックライト１７は、２つのバックライトを背中合わせに配置するにあたり、各バックライトに使用する反射板と放電灯を共用した点に特徴がある。以下、反射板と放電灯を共用したバックライトについて説明する。
【００２４】
図３は、図１の液晶表示装置１００をＡ−Ａ断面に沿って切断して示した断面図である。同図に示すように、液晶表示装置１００において、液晶パネル１０ａと液晶パネル１０ｂは、各表示面を外に向け、表示面を略平行にし、パネル間に所定の間隔を空けて背面を向かい合せ、表示面の上下左右位置を略一致させて配置される。各液晶パネルの背面に略密着して、調光シート（光を拡散させる拡散シート、拡散シートで拡散させた光を液晶パネル背面に集めるレンズシート、偏光板等）が配置されている。これら調光シートの間に、バックライトが配置される。
【００２５】
図４は、液晶表示装置１００のキャビネットＣやスタンドＳを取外し、バックライト１７と液晶パネル１０ａ，１０ｂ、それにインバータ回路基板Ｂ１と映像音声処理基板Ｂ２と駆動回路基板Ｂ３〜Ｂ６を、分解して示した斜視図である。同図において、バックライト１７は、概略、Ｕ字型蛍光管１７ａ１〜１７ａ４と、反射板１７ｂと、を備える。このＵ字型蛍光管１７ａ１〜１７ａ４が本発明のＵ字型放電管に相当する。
【００２６】
反射板１７ｂは、液晶パネル１０ａ、１０ｂの表示面よりもやや広めであり、各液晶パネルの表示面の間を遮る位置に配置される。反射板１７ｂは、例えば白色の樹脂で作成され、高い反射率と遮光性とを有する。すなわち、反射板１７ｂは、Ｕ字型蛍光管１７ａ１〜１７ａ４から反射板１７ｂに向けて放射された光を各液晶パネル背面に反射する作用と、液晶パネル１０ａの側の光と液晶パネル１０ｂの側の光とが混じらないように遮光する作用とを有する。液晶パネルの外から液晶セルの開口を通して内部に入射する外部光は、反射板１７ｂにより遮光され、反対側の液晶パネルに映りこま無くなる。
【００２７】
Ｕ字型蛍光管１７ａ１〜１７ａ４とは、一本の放電管を略半分で屈曲させ、一端に２つの電極が並ぶように作成された放電管である。すなわち一端はガラス管が屈曲した部位であり、他端は２つの電極が並んで配置された部位である。以下、Ｕ字型蛍光管の屈曲された端を電極端と呼び、電極が並んで配置された端を屈曲端と呼び、屈曲端から各電極端まで各々直線状に延びる部位を脚と呼ぶことにする。
【００２８】
スタンドＳの内部には、インバータ回路基板Ｂ１と映像音声処理基板Ｂ２とが配置されている。本発明では、アナログ映像音声信号の入力を想定した基板構成としてあるため、図４においては、映像音声処理基板Ｂ２は、映像音声入力端子が配置され、アナログ映像信号処理とアナログ音声信号処理を担当するアナログ基板と、入力されたアナログ映像信号をＡ／Ｄ変換してデジタル映像信号処理を行うデジタル基板とに分けてある。デジタル基板は、液晶パネル駆動のタイミングコントローラとしての役割も担っており、デジタル基板から出力される制御信号（データスタートパルス（ＤＳＰ）、データクロック（ＤＣＫ）、ゲートスタートパルス（ＧＳＰ）、ゲートクロック（ＧＣＫ））とデータ信号は、ＬＶＤＳ（Low voltage differential signaling）等のデジタル高周波伝送ケーブルで駆動回路に伝送される。
【００２９】
本実施形態における駆動回路は、第１の液晶パネル１０ａを駆動する第１の駆動回路１２ａと、第２の液晶パネル１０ｂを駆動する第２の駆動回路１２ｂとがある。第１の駆動回路１２ａはデータドライバとゲートドライバを備えており、データドライバは駆動回路基板Ｂ３に搭載され、第１の液晶パネル１０ａの下面に配置され、ゲートドライバは駆動回路基板Ｂ４に搭載され、第１の液晶パネル１０ａの左右側面の何れか一方に配置される。一方、第２の駆動回路１２ｂもデータドライバとゲートドライバを備えており、データドライバは駆動回路基板Ｂ５に搭載され、第１の液晶パネル１０ｂの下面に配置され、ゲートドライバは駆動回路基板Ｂ６に搭載され、第１の液晶パネル１０ｂの左右側面の何れか一方に配置される。
【００３０】
上記デジタル基板からは、２本のＬＶＤＳケーブルが導出されており、各ＬＶＤＳケーブルは、駆動回路基板Ｂ３と駆動回路基板Ｂ５にそれぞれ接続されている。駆動回路基板Ｂ３と駆動回路基板Ｂ４、駆動回路基板Ｂ５と駆動回路基板Ｂ６は、それぞれデジタル高周波伝送ケーブルで接続されている。上記制御信号と上記データ信号は、各ＬＶＤＳを通して駆動回路基板Ｂ３と駆動回路基板Ｂ５に入力され、制御信号のうちゲートドライバに必要なゲートスタートパルス（ＧＳＰ）、ゲートクロック（ＧＣＫ）が、駆動回路基板Ｂ４と駆動回路基板Ｂ６に伝送される。
【００３１】
なお、上記映像音声処理基板Ｂ２には、電源回路２０も搭載されており、電源回路２０で生成された電源電圧を供給されたインバータ回路基板Ｂ１は、高周波交流電圧を生成し、インバータハーネスを解して各Ｕ字型蛍光管にインバータ電圧を供給する。なお、本実施形態では、インバータ回路基板Ｂ１をスタンドＳ内部に配置したが、インバータ回路基板Ｂ１は、キャビネットＣ内部に配置してもよい。例えば、Ｕ字型蛍光管１７ａ１〜１７ａ４の電極端側に配置すると、インバータ回路基板Ｂ１とＵ字型蛍光管１７ａ１〜１７ａ４とを接続するインバータハーネス長が短くて済み、コスト削減可能となる。またＵ字型蛍光管１７ａ１〜１７ａ４には、高周波交流電圧を供給するので、各Ｕ字型毛蛍光管に接続されるハーネス長の不均一がチラツキを招く可能性があるが、ハーネス長の短縮によりチラツキ発生を防止しやすくなる。
【００３２】
図５は、反射板にＵ字型蛍光管をセットした状態のバックライト１７の斜視図、図６は図５のバックライト１７の正面図と上面図と右側面図と左側面図である。バックライト１７は、上下左右側面を有する矩形枠体１７ｃと、矩形枠体１７ｃの前後方向略中央を仕切る反射板１７ｂと、Ｕ字型蛍光管１７ａ１〜１７ａ４と、を備える。矩形枠体１７ｃの左右側面には、各Ｕ字型蛍光管の脚を通す複数の孔が形成される。孔は各高さで反射板１７ｂの表側と裏側の同じ高さに１つずつ対形成され、Ｕ字型蛍光管１７ａ１〜１７ａ４に対応して４対形成される。この矩形枠体１７ｃに形成される孔が、本実施形態において、第１係合部と第２係合部を構成する。
【００３３】
矩形枠体１７ｃにＵ字型蛍光管１７ａ１〜１７ａ４を取付けるには、Ｕ字型蛍光管の２つの電極端を、矩形枠体１７ｃ左側面の一対の孔にそれぞれ挿入し、同じ高さの右側面の一対の孔から電極端を突出させる。この結果、Ｕ字型蛍光管の両脚は仕切り板を挟んで前後に略同一高さで支持され、Ｕ字型蛍光管の各脚の並び方向と、液晶パネル面とが略垂直になるように配置される。また、Ｕ字型蛍光管の屈曲端は矩形枠体１７ｃ左側面の外にあり、電極端は矩形枠体１７ｃ右側面の外に突出する。同様に、高さを変えて、複数のＵ字型蛍光管を反射板に配置する。この結果、Ｕ字型蛍光管の屈曲端は液晶パネル表示領域の少し外側に位置する。すなわち、屈曲端の光は、液晶パネルを照射する光として使用されない。
【００３４】
なお、図５では、Ｕ字型蛍光管の本数を４本としてあるが、２以上の任意の本数を採用可能である。Ｕ字型蛍光管は、本数に関わらず、各Ｕ字型蛍光管は上下に一定間隔で配置され、液晶パネルの表示領域にムラ無く光を照射する。反射板１７ｂや矩形枠体１７ｃは、光を反射しやすい色であれば、金属製でもよいし樹脂製でも良く、例えば白色の樹脂で作成される。Ｕ字型蛍光管の電極端は、反射板の一方の側面に並ぶように配置される。
【００３５】
以上の構成によれば、１本のＵ字型蛍光管の一方の足が液晶パネル１０ａを照射し、他方の脚が液晶パネル１０ｂを照射する。従って、各液晶パネルの輝度分布は、略同一になる。両液晶パネルに同一の映像を表示しつつ、輝度検知回路１４の検知した輝度値に基づいて、映像信号の輝度やコントラスト制御およびバックライトの輝度制御を実行すると、映像の黒浮き等を防止して高画質を実現し、暗い画像であればバックライドの輝度を低下できるので消費電力も削減できる。
【００３６】
（３）Ｕ字型蛍光管の変形例：
図７は、本発明のＵ字型蛍光管の変形例を示す斜視図である。Ｕ字型蛍光管は、必ずしも一本の放電灯を屈曲させて形成させる必要は無く、直管の放電灯を２本組合せて実現してもよい。２本の放電灯の一端同士を電線で接続して上記屈曲端に相当する部位とし、接続されなかった各放電灯の端を上記電極端に相当する部位とする。すなわち、２本の直管から、擬似的なＵ字型蛍光管を作成する。擬似的なＵ字型蛍光管は、振動等による屈曲端の破損等に強く且つ、ガラスを屈曲させて作成するＵ字型蛍光管に比べて単価が抑えられる。すなわち、取り扱いを容易にし、コストダウン可能になる。
【００３７】
（４）バックライトの変形例：
上記実施形態ではバックライト１７に矩形枠体１７ｃを採用して説明を行ったが、バックライト１７の構造はこれに限るものではない。例えば、図８，９の構造や図１０，１１の構造も採用可能である。
図８の構造は上記実施形態の矩形枠体から上下面を無くした形状であり、図９は図８のバックライトの正面図と右側面図と左側面図と上面図である。図８，９の構造であれば、上記実施形態の作用効果を奏しつつ、矩形枠体の材料費を低下できる。
また図１０の構造は、上記実施形態の矩形枠体そのものを持たない構造であり、図１１は図１０のバックライトの正面図と右側面図と上面図である。図１０，１１の構造においては、反射板の左端部に切欠きを形成し、該切欠きにＵ字型蛍光管の屈曲端を係合する。さらに反射板の右端部付近に、Ｕ字型蛍光管と係合する突起を形成し、Ｕ字型蛍光管の電極端に近い部位を所定高さに支持する。該構成によれば、矩形枠体を抹消して該矩形枠体の材料コストを低減可能となる。
【００３８】
（５）まとめ：
以上説明した実施形態によれば、液晶パネル１０ａ，１０ｂの間に配置したＵ字型陰極管１７ａ１〜１７ａ４の各脚の並び方向を液晶パネル１０ａ，１０ｂの表示面に対して略垂直とし、Ｕ字型陰極管の屈曲端と電極端を液晶パネル１０ａ，１０ｂの表示領域よりも外側に位置させ、反射板１７ｂをＵ字型放電管の各脚の間に配置して遮光し、Ｕ字型放電管の各脚から放射される光を対応する側の液晶パネルの背面にのみ反射させる。よって、前後両面に表示面を備えた液晶表示装置において、両液晶パネルで光源を共用しつつ、一方の液晶パネルの開口から入射する外部光が他方の液晶パネルの映像表示に影響することを防止することが可能となる。
【００３９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４０】
【図１】液晶表示装置の正面図と背面図である。
【図２】液晶表示装置の概略の電気的構成を示すブロック図である。
【図３】図１のＡ−Ａ断面に沿って切断して示した断面図である。
【図４】液晶表示装置の概略分解斜視図である。
【図５】バックライトの斜視図である。
【図６】バックライトの正面図と上面図と右側面図と左側面図である。
【図７】Ｕ字型蛍光管の変形例を示す斜視図である。
【図８】バックライトの第１変形例にかかる斜視図である。
【図９】バックライトの第１変形例にかかる正面図と右側面図と左側面図と上面図である。
【図１０】バックライトの第２変形例にかかる斜視図である。
【図１１】バックライトの第２変形例にかかる正面図と右側面図と上面図である。
【符号の説明】
【００４１】
１０ａ…第１の液晶パネル、１０ｂ…第２の液晶パネル、１１…映像処理部、１２ａ…第１の駆動回路、１２ｂ…第２の駆動回路、１３…制御回路、１４…輝度検知回路、１５…音声処理部、１６…スピーカ、１７…バックライト、１７ａ１〜１７ａ４…Ｕ字型蛍光管、１７ｂ…反射板、１７ｃ…矩形枠体、１８…インバータ回路、１９…入力端子、２０…電源回路、１００…液晶表示装置、Ｂ１…インバータ回路基板、Ｂ２…映像音声処理基板、Ｂ３…駆動回路基板、Ｂ４…駆動回路基板、Ｂ５…駆動回路基板、Ｂ６…駆動回路基板、Ｃ…キャビネット、Ｓ…スタンド 
【図１】
2009300582.tif 000003
【図２】
2009300582.tif 000004
【図３】
2009300582.tif 000005
【図４】
2009300582.tif 000006
【図５】
2009300582.tif 000007
【図６】
2009300582.tif 000008
【図７】
2009300582.tif 000009
【図８】
2009300582.tif 000010
【図９】
2009300582.tif 000011
【図１０】
2009300582.tif 000012
【図１１】
2009300582.tif 000013